(57)【要約】【課題】ドワイトロイド式焼結機における漏風を的確に検知することができる焼結機の漏風検出方法を提供する。【解決手段】  漏風検査個所（エアシール板９）の機内側に温度計１１を設置するとともに、漏風検査個所（エアシール板９）の機外側から漏風検査個所（エアシール板９）に向けて外気温度より低い温度の冷気（ドライアイス１０から昇華した炭酸ガスを外気に同伴させた気体）を吹き付け、温度計１１によって、冷気を噴き付ける前の機内温度と冷気を噴き付けた後の機内温度を測定し、冷気を吹き付ける前の機内温度に比べて冷気を吹き付けた後の機内温度が低下している場合は、当該漏風検査個所（エアシール板９）から漏風が発生していると判定する。【選択図】図３
2014169796.tif 000002
【特許請求の範囲】
【請求項１】
ドワイトロイド式焼結機の漏風を検知する方法であって、漏風検査個所の機内側に温度計を設置するとともに、漏風検査個所の機外側から漏風検査個所に向けて外気温度より低い温度の気体を吹き付け、前記温度計によって測定した温度が前記気体を吹き付ける前に比べて前記気体を吹き付けた後に低下している場合は、当該漏風検査個所から漏風が発生していると判定することを特徴とする焼結機の漏風検知方法。
【請求項２】
前記気体は、ドライアイスから昇華した炭酸ガス、液体窒素から蒸発した窒素、水滴のうちの１種または２種以上を同伴させることで、外気温度より低い温度にした気体であることを特徴とする請求項１に記載の焼結機の漏風検知方法。
【請求項３】
前記漏風検査個所は、エアシール板、サイドウォール、ウインドボックス、ウインドレグ、パレット間のうちの１個所または２個所以上であることを特徴とする請求項１または２に記載の焼結機の漏風検知方法。
【発明の詳細な説明】
【技術分野】
【０００１】
本発明は、ドワイトロイド型焼結機の漏風を検知する方法に関する。
【背景技術】
【０００２】
図１、図２は、焼結鉱を製造するドワイトロイド式焼結機の概略図を示すものであり、図１は側面図、図２は図１のＸ−Ｘ矢視図である。
【０００３】
図１、図２に示すように、ドワイトロイド式焼結機１は、無限軌道上を走行するパレット２を有し、鉄鉱石にコークス粉と石灰粉を配合して原料を調合し、この原料を焼結原料用ホッパー６から、移動しているパレット２に装入する。次いで、パレット２に装入された原料の表面部のコークスに点火装置３で点火し、パレット２の下側の風箱（ウインドボクス）４から空気を吸引しながらコークスを燃焼させ、その燃焼熱で鉄鉱石を焼結させて、焼結鉱を製造する。なお、図１および図２において、５は床敷き鉱用ホッパー、７はウインドレグ、８はサイドウォール、９はエアシール板である。
【０００４】
このような焼結機１においては、長期の使用による摩耗、腐食、劣化等によって、パレット２間やエアシール板９等に不必要な隙間が生じ、その隙間から外気が侵入し、いわゆる漏風が発生する。そして、漏風が発生すると焼結機の生産効率が低下するので、漏風を的確に検知して適切な対策を講じることが重要である。
【０００５】
この漏風を検知する方法としては、以下のような技術が開示されている。
【０００６】
例えば、特許文献１には、パレットとウインドボックスとの摺接部に中空管からなる検出端を臨ませ、検出端を介して得られる超音波を検出して漏風の有無を検知することにより、パレットとウインドボックスとの摺接部の漏風を検知する方法が開示されている。
【０００７】
また、特許文献２には、焼結機の外部から赤外線温度計により漏風検査個所近傍の温度分布を測定し、その測定結果に基づいて漏風を検知する方法が開示されている。
【先行技術文献】
【特許文献】
【０００８】
【特許文献１】特開昭５６−１０５４３６号公報
【特許文献２】特開平９−２４３２６８号公報
【発明の概要】
【発明が解決しようとする課題】
【０００９】
しかしながら、特許文献１に記載の漏風検知方法の場合、パレットとウインドボックスとの摺接部以外の個所の漏風は検知することが難しい。
【００１０】
また、特許文献２に記載の漏風検知方法の場合、焼結機は各部を耐摩耗材で覆われているため、焼結機の外部からの温度測定では測定誤差等が大きく、誤検知を招く可能性がある。また、焼結機の外部から見え難い個所（例えば、エアシール板）は外部からの赤外線温度計による測定は不可能である。
【００１１】
本発明は、上記のような事情に鑑みてなされたものであり、ドワイトロイド式焼結機における漏風を的確に検知することができる焼結機の漏風検出方法を提供することを目的とするものである。
【課題を解決するための手段】
【００１２】
上記課題を解決するために、本発明は以下の特徴を有している。
【００１３】
［１］ドワイトロイド式焼結機の漏風を検知する方法であって、漏風検査個所の機内側に温度計を設置するとともに、漏風検査個所の機外側から漏風検査個所に向けて外気温度より低い温度の気体を吹き付け、前記温度計によって測定した温度が前記気体を吹き付ける前に比べて前記気体を吹き付けた後に低下している場合は、当該漏風検査個所から漏風が発生していると判定することを特徴とする焼結機の漏風検知方法。
【００１４】
［２］前記気体は、ドライアイスから昇華した炭酸ガス、液体窒素から蒸発した窒素、水滴のうちの１種または２種以上を同伴させることで、外気温度より低い温度の気体にしたものであることを特徴とする前記［１］に記載の焼結機の漏風検知方法。
【００１５】
［３］前記漏風検査個所は、エアシール板、サイドウォール、ウインドボックス、ウインドレグ、パレット間のうちの１個所または２個所以上であることを特徴とする前記［１］または［２］に記載の焼結機の漏風検知方法。
【発明の効果】
【００１６】
本発明によって、ドワイトロイド式焼結機における漏風を的確に検知することができる。
【図面の簡単な説明】
【００１７】
【図１】ドワイトロイド式焼結機の側面図を示すものである。
【図２】図１のＸ−Ｘ矢視図である。
【図３】本発明の一実施形態を示す図である。
【図４】本発明の実施例における温度測定結果を示す図である。
【発明を実施するための形態】
【００１８】
本発明の一実施形態を図面に基づいて説明する。
【００１９】
本発明の一実施形態においては、図１、図２に示したドワイトロイド式焼結機１の漏風の有無を検知するために、図３に示すように、漏風検査個所（ここでは、エアシール板９）の機内側に温度計１１を設置するとともに、漏風検査個所（エアシール板９）の機外側から漏風検査個所（エアシール板９）に向けて外気温度より低い温度の気体（冷気：ここでは、ドライアイス１０から昇華した炭酸ガスを外気に同伴させた気体）を吹き付け、温度計１１によって、冷気を噴き付ける前の機内温度と冷気を噴き付けた後の機内温度を測定し、冷気を吹き付ける前の機内温度に比べて冷気を吹き付けた後の機内温度が低下している場合は、当該漏風検査個所（エアシール板９）から漏風が発生していると判定するようにしている。
【００２０】
通常、機内温度は２００℃以上であり、漏風によって外気（２０℃程度）が機内に侵入しても、機内の温度変化（温度低下）は小さく、その温度変化（温度低下）からでは的確に漏風を検知することは難しい。
【００２１】
そこで、この実施形態においては、上述したように、漏風検査個所に外気温度より低い温度の気体（冷気）を吹き付け、漏風している場合、機内に侵入した冷気による機内の温度変化（温度低下）の幅を増大させることで、的確に漏風を検知できるようにしている。
【００２２】
なお、漏風検査個所に吹き付ける冷気としては、例えば、ドライアイスから昇華した炭酸ガス、液体窒素から蒸発した窒素、水滴のうちの１種または２種以上を同伴させることで、外気温度より低い温度の気体としたものを用いればよい。
【００２３】
また、冷気を吹き付ける前の機内温度と冷気を吹き付けた後の機内温度を比較する際には、外乱やバラツキを考慮して、予め漏風判定閾値（例えば、１０℃）を定めておき、冷気を吹き付ける前の機内温度に比べて冷気を吹き付けた後の機内温度が漏風判定閾値以上低下した場合に、当該漏風検査個所から漏風が発生していると判定するようにするとよい。
【００２４】
そして、漏風検査個所としては、例えば、図１、図２に示しているＡ〜Ｅの個所（Ａ：エアシール板、Ｂ：サイドウォール、Ｃ：ウインドボックス、Ｄ：ウインドレグ、Ｅ：パレット間）が挙げられる。
【００２５】
このようにして、この実施形態においては、ドワイトロイド式焼結機１における漏風を的確に検知することができる。その結果、早期に漏風に対する適切な対策を講じることが可能となり、焼結機の生産効率を維持することができる。
【実施例１】
【００２６】
本発明の実施例として、図１、図２に示したドワイトロイド式焼結機１において、エアシール板９からの漏風の検知を行った。
【００２７】
その際、本発明例として、上記の本発明の一実施形態に基づいてエアシール板９からの漏風の検知を行った。なお、エアシール板９に吹き付けた冷気は、ドライアイスから昇華した炭酸ガスを外気に同伴させることで、外気温度より低い温度の気体にしたものであった。また、漏風判定閾値は１０℃とした。
【００２８】
一方、比較のために、エアシール板９に冷気を吹き付けなかった場合を従来例とした。
【００２９】
図６に、本発明例および従来例において、温度計１１によって測定した機内温度の時間的変化を示す。
【００３０】
まず、従来例では、機内温度は約２４０℃近傍であり、時間的温度変化（温度低下）はそれほど見られない。したがって、この時間的温度変化からでは、エアシール板９からの漏風の有無は判定が難しい。
【００３１】
これに対して、本発明例では、冷気を吹き付ける前の機内温度は、従来例と同様に約２４０℃であるが、冷気を吹き付けた後の機内温度は、冷気が温度計１１付近を通過した際に約２１５℃に低下している。この温度低下量２５℃は風判定閾値１０℃を超えており、エアシール板９から漏風が発生していると判定された。
【００３２】
このようにして、本発明例では、エアシール板９からの漏風を的確に検知することができ、本発明の有効性が確認された。
【符号の説明】
【００３３】
１  ドワイトロイド式焼結機
２  パレット
３  点火装置
４  風箱（ウインドボクス）
５  床敷き鉱用ホッパー
６  焼結原料用ホッパー
７  ウインドレグ
８  サイドウォール
９  エアシール板
１０  ドライアイス
１１  温度計
【図１】
2014169796.tif 000003
【図２】
2014169796.tif 000004
【図３】
2014169796.tif 000005
【図４】
2014169796.tif 000006